(57)【特許請求の範囲】
【請求項１】
ケーブルを自転車のフレームに沿わせた状態で保持するケーブルガイド装置であって、
ケーブルを挿通させる挿通孔を周りから囲んだ姿勢で配設され、両端部がフレームに固着されるケーブル保持部材と、
このケーブル保持部材に着脱自在で、装着時にケーブル保持部材との間にケーブルを挿通させる挿通空間を形成するケーブル補助保持部材と
を備えたことを特徴とするケーブルガイド装置。
【請求項２】
ケーブル補助保持部材の両端部に、ケーブル保持部材に係合する係合部が形成され、
ケーブル保持部材に、前記ケーブル補助保持部材の係合部が係合される被係合孔部が形成され、
前記係合部が、前記被係合孔部において外側から内側に向けて突入された状態で前記ケーブル保持部材の前記被係合孔部に臨む壁面に係合されている
ことを特徴とする請求項１記載のケーブルガイド装置。
【請求項３】
ケーブル補助保持部材の幅がケーブル保持部材の幅よりも小さく形成されており、
ケーブル補助保持部材をケーブル保持部材に装着した際に、ケーブル保持部材の幅方向に対して、ケーブル補助保持部材の幅方向の両辺部が、ケーブル保持部材の幅方向の両辺部よりも内側となるように配置構成されていることを特徴とする請求項２記載のケーブルガイド装置。
【請求項４】
ケーブル保持部材に、外側に膨出して挿通孔に挿通されたケーブルを受ける複数の膨出部と、これらの膨出部間に設けられ、内側に窪んで挿通空間に挿通されたケーブルを受ける窪み部とが形成されていることを特徴とする請求項１〜３の何れか１項に記載のケーブルガイド装置。
【請求項５】
ケーブル補助保持部材が弾性を有する金属材で形成されていることを特徴とする請求項１〜４の何れか１項に記載のケーブルガイド装置。
【請求項６】
ケーブルを自転車のフレームに沿わせた状態で保持するケーブルガイド装置であって、
ケーブルを挿通させる挿通孔が内側に設けられてこの挿通孔を周りから囲んだ姿勢で配設され、両端部がフレームに固着されるケーブル保持部材を備え、
このケーブル保持部材に、このケーブル保持部材に着脱可能なケーブル補助保持部材が係合される被係合孔部が形成されていることを特徴とするケーブルガイド装置。
【請求項７】
請求項１〜６のケーブルガイド装置が備えられていることを特徴とする自転車。
【発明の詳細な説明】
【技術分野】
【０００１】
本発明は、ケーブルを自転車のフレームに沿わせた状態で保持するケーブルガイド装置に関する。
【背景技術】
【０００２】
一般に自転車には、ブレーキ用操作レバーの動作を前輪や後輪のブレーキに伝達する前輪用や後輪用のブレーキケーブルが設けられている。また、他のケーブルとして、変速段伝達用のケーブルや、複数の錠前を連動させる連動用ケーブルなどが設けられる場合があり、さらに電動自転車では制御信号を送るコントロール用ケーブルや前照灯に給電する給電用ケーブルなどが設けられる。これらのケーブルは、フレームから大きく外れた位置に配設されると、運転者の足や手などに引っ掛かって運転に支障をきたしたり、危険となったりするおそれがあるので、運転に支障をきたさず、安全性を向上させるべく、フレームに沿わせた状態で保持させる必要がある。
【０００３】
このようにケーブルをフレームに沿わせた状態で保持するケーブルガイド装置の構造としては、例えば、図８に示すように、挿通孔５１を形成した繭形状部５２を有するケーブルガイド５３を車体のフレーム５５に溶接するなどして固着し、このケーブルガイド５３の挿通孔５１にケーブル５０を挿通させることで、ケーブル５０をフレーム５５に沿わせる構造が知られている。この構造であれば、ケーブル５０をケーブルガイド５３の挿通孔５１に挿通させると、挿通孔５１からケーブル５０が外れてしまうことを確実に防止できる利点がある。
【０００４】
ところが、このようなケーブルガイド５３の構成は、ケーブル５０の少なくとも一端を外すことができて何も取り付けられていないケーブル５０の場合にしか適用できない短所がある。つまり、その両端に錠前の部品や各種の装置に接続される端子などが取り付けられている連動用ケーブルやコントロール用ケーブルなどの場合は、両端に取り付けられる部品などが、ケーブルガイド５３の挿通孔５１よりも大きいためにケーブルガイド５３の挿通孔５１にケーブル５０を挿入できない。したがって、このような場合でも適用できるものとして、図９に示すように、ベース６１から２つの保持用突出片６２を互いに重ならないように湾曲させながら突出させてなるケーブルガイド６０を、車体のフレーム５５に溶接などにより固定させ、前記保持用突出片６２の間に、ケーブル５０を捩じるなどして斜めに挿入してからａ方向に回動させることで、前記保持用突出片６２によりケーブル５０を引っ掛けた状態で保持できるように構成したケーブルガイド６０が知られている。この種のケーブルガイド６０では、ケーブル５０の端部から挿通孔に挿通させる必要がないので、ケーブル５０の両端部に部品などが取り付けられていても適用できる。なお、このケーブルガイド６０に類似する構造が特許文献１等に開示されている。
【０００５】
この種のケーブルガイド６０によれば、ケーブル５０が局部的に捩じられるなどして挿入時の姿勢に戻らない限り、連動用ケーブルやコントロール用ケーブルなどのケーブル５０でもフレームに沿うよう保持させることができる。
【０００６】
しかし、ブレーキケーブルと、連動用ケーブルやコントロール用ケーブルなどを固定させようとすると、前記ケーブルガイド５３とケーブルガイド６０との両者を溶接などによりフレーム５５に固定しなければならず、多くの手間や時間がかかってしまう。
【０００７】
これに対して複数のケーブルをまとめて保持することができるケーブルガイド装置が特許文献２等に開示されている。図１０に示すように、このケーブルガイド装置７０は、車体のフレーム７５に溶接するなどして固着され、複数のケーブル７１を横並びに収容可能な凹部７２ａを有するケーブル受け７２と、このケーブル受け７２に対して着脱自在のキャップ７３とからなる。そして、ケーブル受け７２の両先端部に外向きの爪７２ｂをそれぞれ形成し、各爪７２ｂを、キャップ７３の両端部にそれぞれ形成した開口部７３ａに嵌まり込ませることで、複数のケーブル７１を凹部７２ａにおいて横並びに収容した状態で、キャップ７３をケーブル受け７２に係止させるよう構成されている。
【０００８】
このケーブルガイド装置７０によれば、１つのケーブルガイド装置７０だけで複数のケーブル７１を保持できる利点がある。また、ケーブル受け７２を車体のフレーム７５に溶接した後は、複数のケーブル７１を収容して、キャップ７３をケーブル受け７２に被せて係合させるだけで、比較的少ない手間や時間でケーブルガイド装置７０を取り付けることができる。また、ブレーキケーブルだけでなく、連動用ケーブルやコントロール用ケーブルなども保持させることができる。
【先行技術文献】
【特許文献】
【０００９】
【特許文献１】実開昭６１−２６６９２号公報
【特許文献２】特開２００４−１７７８５号公報
【発明の概要】
【発明が解決しようとする課題】
【００１０】
しかしながら、図１０に示すようなケーブルガイド装置７０によれば、ケーブル受け７２の爪７２ｂが外側に露出する状態で係合されているので、何らかの物や運転者の手や足などが爪７２ｂに当接して、キャップ７３がケーブル受け７２から外れるおそれがあり、この場合には、同時に全てのケーブル７１もケーブル受け７２から外れてしまうため、安全性が極度に低下してしまう。また、ケーブル７１の露出部分に運転者の衣服が引っ掛かるなどして、ケーブル７１がフレーム７５から離反する方向に外力を受けた際に、キャップ７３もフレーム７５から離反する方向に力を受けるので、キャップ７３がケーブル受け７２から外れるおそれがあり、特に、複数のケーブル７１から外力を受けた場合には、キャップ７３がケーブル受け７２から外れる可能性が大きくなってしまい、安全性が低下してしまう。また、キャップ７３を樹脂で成形した場合に、長年使用した際にキャップ７３が経年変化によりもろくなって、外れる可能性もあった。
【００１１】
本発明は上記課題を解決するもので、ブレーキケーブルだけでなく、連動用ケーブルやコントロール用ケーブルなども良好に保持でき、かつ、多くの手間や時間をかけることなく、車体のフレームなどに取り付けることができ、しかも、ケーブルが外れることを最小限に抑えることができ、さらに、万一、一部のケーブルが外れた場合でも外れるケーブルの数を最小限に抑えることができるケーブルガイド装置を提供することを目的とする。
【課題を解決するための手段】
【００１２】
上記課題を解決するために本発明のケーブルガイド装置は、ケーブルを自転車のフレームに沿わせた状態で保持するケーブルガイド装置であって、ケーブルを挿通させる挿通孔を周りから囲んだ姿勢で配設され、両端部がフレームに固着されるケーブル保持部材と、このケーブル保持部材に着脱自在で、装着時にケーブル保持部材との間にケーブルを挿通させる挿通空間を形成するケーブル補助保持部材とを備えたことを特徴とする。
【００１３】
この構成によれば、ブレーキケーブルなどの挿通孔に挿通可能なケーブルは、挿通孔に挿通させることで、ケーブルが外れることを確実に防止できる。つまり、ケーブル保持部材がフレームから外れたり、ケーブルを挿通孔から抜いたりしない限り、挿通孔に挿通させたケーブルは外れることがない。また、連動用ケーブルやコントロール用ケーブルなど、挿通孔に挿通できないケーブルは、ケーブルを挿通空間に配設した状態でケーブル補助保持部材をケーブル保持部材に装着することで、ケーブルを挿通空間に保持させることができる。また、溶接などによりフレームに固着するものはケーブル保持部材だけで済み、ケーブル補助保持部材は、必要に応じてケーブル保持部材に装着すればよいので、比較的少ない手間や時間で、フレームに取り付けることができる。
【００１４】
また、本発明のケーブルガイド装置は、ケーブル補助保持部材の両端部に、ケーブル保持部材に係合する係合部が形成され、ケーブル保持部材に、前記ケーブル補助保持部材の係合部が係合される被係合孔部が形成され、前記係合部が、前記被係合孔部において外側から内側に向けて突入された状態で前記ケーブル保持部材の前記被係合孔部に臨む壁面に係合されていることを特徴とする。
【００１５】
この構成によれば、ケーブル補助保持部材がケーブル保持部材に装着された際には、ケーブル補助保持部材の両端部に形成された係合部が、ケーブル保持部材の被係合孔部における外側から内側に突入された状態で係合されているので、係合部は外部に露出せず、また、ケーブル補助保持部材の外部に露出している箇所に、他のものが当接するなどしても、係合部が被係合孔部から離脱することがない。これにより、一旦、ケーブル補助保持部材がケーブル保持部材に装着されると、ケーブル保持部材から離脱することが殆どなくなるため、挿通空間に挿通させたケーブルが外れる可能性を最小限に抑えることができる。
【００１６】
また、本発明のケーブルガイド装置は、ケーブル補助保持部材の幅がケーブル保持部材の幅よりも小さく形成されており、ケーブル補助保持部材をケーブル保持部材に装着した際に、ケーブル保持部材の幅方向に対して、ケーブル補助保持部材の幅方向の両辺部が、ケーブル保持部材の幅方向の両辺部よりも内側となるように配置構成されていることを特徴とする。
【００１７】
この構成によれば、ケーブル保持部材の幅方向に沿う方向から物や運転者の手や足などが当接することがあっても、これらの物などは、通常、ケーブル保持部材の幅方向の両辺部に当接して、ケーブル補助保持部材の幅方向の両辺部に当接し難くなる。これにより、ケーブル補助保持部材がケーブル保持部材から離脱する可能性をさらに低減させることができて、ひいては、挿通空間に挿通させたケーブルが外れる可能性をさらに抑えることができる。
【００１８】
また、本発明のケーブルガイド装置は、ケーブル保持部材に、外側に膨出して挿通孔に挿通されたケーブルを受ける複数の膨出部と、これらの膨出部間に設けられ、内側に窪んで挿通空間に挿通されたケーブルを受ける窪み部とが形成されていることを特徴とする。
【００１９】
この構成によれば、複数のケーブルを単に並べて配設した場合と比較して、複数のケーブルを、まとまった状態で保持することができる。したがって、ケーブルの数が多い場合でも、フレームの幅方向に対するケーブルの配設箇所の寸法を小さめに抑えながら配設することができる。
【００２０】
また、本発明のケーブルガイド装置は、ケーブル補助保持部材が弾性を有する金属材で形成されていることを特徴とする。この構成によれば、ケーブル補助保持部材を樹脂材料で形成した場合のような長期使用時の経年変化による劣化や損傷を防止できるので、前記劣化や損傷によってケーブルが外れることを防止できて、信頼性が一層向上する。
【００２１】
また、本発明のケーブルガイド装置は、ケーブルを自転車のフレームに沿わせた状態で保持するケーブルガイド装置であって、ケーブルを挿通させる挿通孔が内側に設けられてこの挿通孔を周りから囲んだ姿勢で配設され、両端部がフレームに固着されるケーブル保持部材を備え、このケーブル保持部材に、このケーブル保持部材に着脱可能なケーブル補助保持部材が係合される被係合部が形成されていることを特徴とする。
【００２２】
この構成によれば、ブレーキケーブルなどの挿通孔に挿通可能なケーブルを、挿通孔に挿通させることで、前記ケーブルが外れることを確実に防止できる。すなわち、ケーブル保持部材がフレームから外れない限り、挿通孔に挿通させたケーブルは外れることがない。また、連動用ケーブルやコントロール用ケーブルなど、挿通孔に挿通できないケーブルを固定する必要が生じた場合には、ケーブル保持部材の被係合部に係合可能なケーブル補助保持部材を追加することで、挿通孔に挿通できないケーブルを固定することが可能となる。
【００２３】
また、本発明の自転車は、上記何れかの構成のケーブルガイド装置が備えられていることを特徴とする。
【発明の効果】
【００２４】
以上のように本発明によれば、ケーブルガイド装置として、ケーブルを挿通させる挿通孔を周りから囲んだ姿勢で配設され、両端部がフレームに固着されるケーブル保持部材と、このケーブル保持部材に着脱自在で、装着時にケーブル保持部材との間にケーブルを挿通させる挿通空間を形成するケーブル補助保持部材とを備えることにより、ブレーキケーブルなどの挿通孔に挿通可能なケーブルが外れることを確実に防止できると同時に、連動用ケーブルやコントロール用ケーブルなどの、挿通孔に挿通できないケーブルについてもフレームに沿わせた状態に良好に保持することができる。また、ケーブルガイド装置を、比較的少ない手間や時間で、フレームに取り付けることができ、組付け時の作業能率を向上させることができる。
【００２５】
また、ケーブル補助保持部材の両端部に形成した係合部を、ケーブル保持部材に形成した被係合孔部において外側から内側に突入させた状態で係合させる構造を採用することにより、ケーブル補助保持部材の外部に露出している箇所に、他のものが当接するなどしても、係合部が被係合孔部から離脱することがなく、これにより、挿通空間に挿通させたケーブルが外れる可能性を最小限に抑えることができ、信頼性を向上させることができる。
【００２６】
また、ケーブル補助保持部材の幅をケーブル保持部材の幅よりも小さく形成し、ケーブル補助保持部材をケーブル保持部材に装着した際に、ケーブル保持部材の幅方向に対して、ケーブル補助保持部材の幅方向の両辺部が、ケーブル保持部材の幅方向の両辺部よりも内側となるように配置構成させることにより、ケーブル補助保持部材がケーブル保持部材から離脱する可能性をさらに低減させることができて、ひいては、挿通空間に挿通させたケーブルが外れる可能性をさらに抑えることができ、信頼性を一層向上できる。
【図面の簡単な説明】
【００２７】
【図１】本発明の実施の形態に係るケーブルガイド装置を備えた自転車の側面図
【図２】（ａ）および（ｂ）は、同ケーブルガイド装置およびその近傍箇所の正面断面図および側面図で、ケーブル補助保持部材が装着されている場合
【図３】同ケーブルガイド装置およびその近傍箇所の斜視図
【図４】（ａ）および（ｂ）は、同ケーブルガイド装置およびその近傍箇所の正面断面図および側面図で、ケーブル補助保持部材が装着されていない場合
【図５】（ａ）〜（ｃ）は、同ケーブルガイド装置のケーブル保持部材の平面図、正面図および側面図
【図６】（ａ）および（ｂ）は、同ケーブルガイド装置のケーブル補助保持部材の正面図および側面図
【図７】本発明の他の実施の形態に係るケーブルガイド装置の正面断面図
【図８】従来のケーブルガイド装置の斜視図
【図９】他の従来のケーブルガイド装置の斜視図
【図１０】その他の従来のケーブルガイド装置の斜視図
【発明を実施するための形態】
【００２８】
以下、本発明の実施の形態を図面に基づき説明する。ここで、図１は本発明の実施の形態に係るケーブルガイド装置を備えた自転車を示し、図２〜図４は同ケーブルガイド装置を示す。なお、ケーブルガイド装置は図１に示すように、メインパイプなどのフレームの下面部や側面部に配設される場合が多いが、図２〜図４等では理解し易いように、同ケーブルガイド装置がメインパイプなどのフレームの上側に配設されているように図示している。
【００２９】
図１に示すように、自転車（図１においては電動自転車）１のフレームとしてのメインパイプ２などには、その軸方向（メインパイプ２の長手方法）に間隔をあけて複数のケーブルガイド装置１０が配設されており、これらのケーブルガイド装置１０によって複数のケーブル３がメインパイプ２などのフレームに沿わせた状態で保持されている。この実施の形態では、ケーブル３として、例えば、後輪４のブレーキを操作するための後輪用ブレーキケーブル，後輪４のハブなどに設けられた変速機をハンドル近傍箇所で操作するための変速機用ケーブル，電動モータの補助駆動力のアシスト率などを制御する制御用ケーブルなどが保持されるが、これに限るものではない。
【００３０】
図２〜図６に示すように、ケーブルガイド装置１０は、ケーブル３を挿通させる挿通孔１２を周りから囲んだ姿勢（より詳しくは、メインパイプ２の壁面と合わせて挿通孔１２を周りから囲んだ姿勢）で配設され、その両端部がフレームとしてのメインパイプ２にスポット溶接等により固着されたケーブル保持部材１１と、このケーブル保持部材１１に着脱自在で、装着時にケーブル保持部材１１との間にケーブル３を挿通させる挿通空間１３を形成するケーブル補助保持部材１４とを備えている。なお例えば、ケーブル保持部材１１は比較的厚肉の金属板を屈曲させたもので形成され、ケーブル補助保持部材１４は金属製の板ばねなどの弾性を有する薄肉の金属材で形成されているが、これに限るものではない。
【００３１】
図５などに示すように、ケーブル保持部材１１は、外側（メインパイプ２から離反する方向）に膨出して挿通孔１２に挿通されたケーブル３を受ける複数（この実施の形態では２つ）の膨出部１１ａと、これらの膨出部１１ａ間に設けられ、内側に窪んで挿通空間１３に挿通されたケーブル３の下半部を受ける窪み部１１ｂと、メインパイプ２に沿わせられて溶着される溶着部１１ｃなどが設けられてケーブル保持部材１１の両端部をなす固定辺部１１ｄと、固定辺部１１ｄから起立して窪み部１１ｂに続く起立部１１ｅに形成されて、ケーブル補助保持部材１４が係合される被係合孔部１１ｆと、ケーブル補助保持部材１４が載せられる載置用平面部１１ｇなどを有している。このケーブル保持部材１１は、例えば正面視して略Ｍ字形状とされているが、この形状に限るものではない。なお、被係合孔部１１ｆは、必ずしもケーブル保持部材１１の内側（挿通孔１２）まで貫通した孔形状で無くてもよく、ケーブル保持部材１１の外側から内側に向けて窪む孔形状であってもよい。
【００３２】
図６（ａ）などに示すように、ケーブル補助保持部材１４は、横方向に延びて装着時にケーブル保持部材１１の載置用平面部１１ｇに載せられる左右の載置面部１４ａと、これらの載置面部１４ａの間で半円状に突出して装着時にケーブル保持部材１１の窪み部１１ｂとの間にケーブル３を挿通させる挿通空間１３を形成する湾曲受け部１４ｂと、左右の載置面部１４ａの端部からそれぞれ屈曲して延びて装着時（ケーブル補助保持部材１４をケーブル保持部材に装着した際）にはケーブル保持部材１１の起立部１１ｅに沿う腕部１４ｃと、腕部１４ｃの端部から逆三角形状に折り曲げられて装着時にはケーブル保持部材１１の被係合孔部１１ｆに外側から内側に突入して被係合孔部１１ｆに上方から臨む壁面に係合する係合部１４ｄとを有している。図２（ａ）、図３などに示すように、ケーブル補助保持部材１４は、その幅がケーブル保持部材１１の幅よりも小さく形成されており、装着時に、ケーブル保持部材１１の幅方向に対して、ケーブル補助保持部材１４の幅方向の両辺部が、ケーブル保持部材１１の幅方向の両辺部よりも内側となるように配置構成されている。
【００３３】
ブレーキケーブルや変速機用ケーブルなどのケーブル保持部材１１の挿通孔１２に挿通可能なケーブル（以下、挿通可ケーブル３Ａとも称す）は、ケーブル保持部材１１の挿通孔１２に挿通された状態で保持される。一方、制御用ケーブル（あるいは、複数の錠前を連動させる連動用ケーブル）などの両端部にケーブル保持部材１１の挿通孔１２の開口部よりも大きなものが取り付けられるなどしてケーブル保持部材１１の挿通孔１２に挿通できないケーブル（以下、挿通不可ケーブル３Ｂとも称す）は、ケーブル補助保持部材１４をケーブル保持部材１１に装着しない状態で、ケーブル保持部材１１の窪み部１１ｂに載せられた後（挿通空間１３に配設した状態で）、ケーブル補助保持部材１４の湾曲受け部１４ｂが挿通不可ケーブル３Ｂに被せられるようにしてケーブル補助保持部材１４を装着させることで保持されるよう構成されている。
【００３４】
なお、保持対象となるケーブル３が２本以下であり、何れも挿通可ケーブル３Ａである場合には、図４に示すように、ケーブル補助保持部材１４がケーブル保持部材１１に装着されない状態で、ケーブル保持部材１１のみによりケーブル３が保持される。また、保持対象となるケーブル３が何れも挿通可ケーブル３Ａであった場合でも、これらのケーブルが、ケーブル保持部材１１の挿通孔１２に挿通する本数よりも多い場合（この実施の形態では３本の場合）には、ケーブル補助保持部材１４をケーブル保持部材１１に装着させて、挿通空間１３に挿通可ケーブル３Ａを挿通させて保持させるとよい。
【００３５】
上記構成によれば、ブレーキケーブルなどの挿通孔に挿通可能な挿通可ケーブル３Ａは、メインパイプ２に固着されたケーブル保持部材１１の挿通孔１２に挿通させることで、ケーブル３（挿通可ケーブル３Ａ）が挿通孔１２から外れることを確実に防止できる。また、連動用ケーブルやコントロール用ケーブルなどの挿通不可ケーブル３Ｂは、この挿通不可ケーブル３Ｂを挿通空間１３に配設した状態でケーブル補助保持部材１４をケーブル保持部材１１に装着することで、挿通不可ケーブル３Ｂを良好に保持することができる。
【００３６】
また、溶接などによりフレーム（メインパイプ２）に固着するものはケーブル保持部材１１だけで済み、ケーブル補助保持部材１４は、必要に応じてケーブル保持部材１１に装着すればよいので、比較的少ない手間や時間で、フレーム（メインパイプ２）に取り付けることができ、ケーブルガイド装置１０の組付け時の作業能率を向上させることができる。
【００３７】
また、上記構成によれば、ケーブル補助保持部材１４がケーブル保持部材１１に装着された際には、図２、図３に示すように、ケーブル補助保持部材１４の両端部に形成された係合部１４ｄが、ケーブル保持部材１１の被係合孔部１１ｆにおける外側から内側に突入された状態で係合されているので、係合部１４ｄは外部に露出せず、また、ケーブル補助保持部材１４の外部に露出している箇所に、他のもの（運転者の手や足など）が当接するなどしても、係合部１４ｄが被係合孔部１１ｆから離脱することがない。これにより、一旦、ケーブル補助保持部材１４がケーブル保持部材１１に装着されると、ケーブル保持部材１１から離脱することが殆どなくなるため、挿通空間１３に挿通させたケーブル３（挿通不可ケーブル３Ｂなど）が外れる可能性を最小限に抑えることができ、ケーブル３を保持する機能の信頼性を向上させることができる。
【００３８】
また、上記構成によれば、ケーブル補助保持部材１４の幅をケーブル保持部材１１の幅よりも小さく形成し、ケーブル補助保持部材１４の装着時に、ケーブル補助保持部材１４の幅方向の両辺部が、ケーブル保持部材１１の幅方向の両辺部よりも内側となるように配置構成したので、ケーブル保持部材１１の幅方向に沿う方向（図２（ｂ）における紙面の左右方向）から物や手や足が当接することがあっても、これらの物などがケーブル保持部材１１の幅方向の両辺部に当接して、ケーブル補助保持部材１４の幅方向の両辺部には当接し難くなる。これにより、ケーブル補助保持部材１４にものが当たるなどして外力が作用し、ケーブル補助保持部材１４がケーブル保持部材１１から離脱する可能性をさらに低減させることができて、ひいては、挿通空間１３に挿通させたケーブル３（挿通不可ケーブル３Ｂなど）が外れる可能性をさらに抑えることができ、さらに信頼性を向上できる。
【００３９】
また、上記構成によれば、ケーブル保持部材１１に、外側に膨出して挿通孔１２に挿通されたケーブル３（挿通可ケーブル３Ａ）を受ける複数の膨出部１１ａと、これらの膨出部１１ａ間に設けられ、内側に窪んで挿通空間１３に挿通されたケーブル３（挿通不可ケーブル３Ｂなど）を受ける窪み部１１ｂとを形成させた構成を採用したことにより、複数のケーブル３を単に並べて配設した場合と比較して、複数のケーブル３を、まとまってコンパクトな状態（図２、図３においては断面略三角形状にまとまった状態）で保持することができる。したがって、ケーブル３の数が多い場合でも、フレーム（メインパイプ２など）の幅方向に対するケーブル３の配設箇所の寸法を小さめに抑えながら配設することができ、見栄えもよく、さらには、これらのケーブル３の引き回しなども行い易い。
【００４０】
また、上記実施の形態では、ケーブル保持部材１１に膨出部１１ａを２つ、この間の窪み部１１ｂを１つ形成して、挿通孔１２に２本のケーブル３（挿通可ケーブル３Ａ）を挿通でき、ケーブル補助保持部材１４の装着時には挿通空間１３に１本のケーブル３（挿通不可ケーブル３Ｂなど）を配設できる場合を述べたが、これに限るものではない。例えば、図７に示すように、ケーブル保持部材１１に膨出部１１ａを３つ、この間の窪み部１１ｂを２つ形成して、挿通孔１２に３本のケーブル３（挿通可ケーブル３Ａ）を挿通でき、また、これに対応して、ケーブル補助保持部材１４に２つの湾曲受け部１４ｂを形成することで、挿通空間１３に２本のケーブル３（挿通不可ケーブル３Ｂなど）を配設できるよう構成してもよい。この場合には、５本のケーブル３を極めて小さな配設箇所（図７に示す場合には断面略台形形状）に配設することができ、見栄えもよく、見た目の安定感もある。
【００４１】
また、上記構成によれば、ケーブル補助保持部材１４を金属材で形成したので、このケーブル補助保持部材１４を樹脂材料で形成した場合のような長期使用時の経年変化による劣化や損傷を防止でき、前記劣化や損傷によってケーブル３が外れることを防止できて、これによっても信頼性が向上する。
【００４２】
なお、上記実施の形態においては、ケーブルガイド装置１０を固定する箇所がメインパイプ２である場合を述べたが、これに限るものではなく、ケーブルガイド装置１０の配設箇所（固定箇所）としては、後輪４を支持するチェーンステー５やその他のフレーム部分にも適用できることはもちろんである。また、上記実施の形態では、このケーブルガイド装置１０が図１においては電動自転車に組付けられた場合を図示したが、電動でない一般の自転車やバイクなどの二輪車にも適用できる。また、ケーブル保持部材１１を金属製とすることで、ケーブル保持部材１１をメインパイプ２などのフレームに溶着して確実に支持させることができるが、これに限るものではなく、高い剛性を有する材料であればよい。
【産業上の利用可能性】
【００４３】
本発明のケーブルガイド装置は、自転車用として特に好適に用いることができるが、これに限るものではなく、自転車以外の二輪車や三輪車などにも適用可能である。
【符号の説明】
【００４４】
１      自転車
２      メインパイプ（フレーム）
３      ケーブル
３Ａ    挿通可ケーブル
３Ｂ    挿通不可ケーブル
１０    ケーブルガイド装置
１１    ケーブル保持部材
１２    挿通孔
１３    挿通空間
１４    ケーブル補助保持部材
【図１】
0005451276.tif 000002
【図２】
0005451276.tif 000003
【図３】
0005451276.tif 000004
【図４】
0005451276.tif 000005
【図５】
0005451276.tif 000006
【図６】
0005451276.tif 000007
【図７】
0005451276.tif 000008
【図８】
0005451276.tif 000009
【図９】
0005451276.tif 000010
【図１０】
0005451276.tif 000011